(57)【要約】【課題】逆差しを防止して正しい接続を行わせることを補助することが可能で、コネクター接続時間を短縮させるコネクター接続構造、及びこのコネクター接続構造を備える電子機器、プロジェクターを提供する。【解決手段】コネクター接続構造は、互いに挿脱可能なＵＳＢコネクター２４，３１と、ＵＳＢコネクター２４に設置され、ＵＳＢコネクター３１との当接による圧力を検出する圧力センサー２５と、情報を報知するスピーカー２８（報知部）と、圧力センサー２５の検出結果に基づき、所定の圧力以上の場合、所定の圧力を超えたことをスピーカー２８に報知させる制御部２０（報知制御部）と、を備えている。また、圧力センサー２５は、シート状のゲージセンサーを備え、ゲージセンサーは、ＵＳＢコネクター２４の端子部２４２の先端面２４３ａに設置されている。【選択図】図３
2014032749.tif 000002
【特許請求の範囲】
【請求項１】
互いに挿脱可能なコネクターと、
一方の前記コネクターに設置され、当該コネクターと他方の前記コネクターとの当接による圧力を検出する圧力センサーと、
情報を報知する報知部と、
前記圧力センサーの検出結果に基づき、所定の圧力以上の場合、前記所定の圧力を超えたことを前記報知部に報知させる報知制御部と、
を備えていることを特徴とするコネクター接続構造。
【請求項２】
請求項１に記載のコネクター接続構造であって、
前記圧力センサーは、シート状のゲージセンサーを備え、
前記ゲージセンサーは、一方の前記コネクターの端子部の先端面に設置されていることを特徴とするコネクター接続構造。
【請求項３】
請求項１または請求項２に記載のコネクター接続構造であって、
前記コネクターは、ＵＳＢコネクターのタイプＡであることを特徴とするコネクター接続構造。
【請求項４】
外部機器と接続されるコネクターと、
前記コネクターに設置され、当該コネクターへの当接による圧力を検出する圧力センサーと、
情報を報知する報知部と、
前記圧力センサーの検出結果に基づき、所定の圧力以上の場合、前記所定の圧力を超えたことを前記報知部に報知させる報知制御部と、
を備えていることを特徴とする電子機器。
【請求項５】
請求項４に記載の電子機器であって、
前記コネクターは、ＵＳＢコネクターのタイプＡであることを特徴とする電子機器。
【請求項６】
外部機器と接続されるコネクターと、
前記コネクターに設置され、当該コネクターへの当接による圧力を検出する圧力センサーと、
情報を報知する報知部と、
前記圧力センサーの検出結果に基づき、所定の圧力以上の場合、前記所定の圧力を超えたことを前記報知部に報知させる報知制御部と、
光束を射出する光源と、
前記光源から射出された前記光束を画像信号に基づいて変調する光変調装置と、
を備えていることを特徴とするプロジェクター。
【請求項７】
請求項６に記載のプロジェクターであって、
前記コネクターは、ＵＳＢコネクターのタイプＡであることを特徴とするプロジェクター。
【発明の詳細な説明】
【技術分野】
【０００１】
本発明は、コネクター接続構造、電子機器、プロジェクターに関する。
【背景技術】
【０００２】
従来、電子機器には、各種の外部機器と接続するための各種のコネクターが設置されている。そして、外部機器を接続する場合、外部機器に設置（または接続）されているケーブル（ケーブル側のコネクター）を、電子機器に設置される各種コネクターの中の対応するコネクターに差し込んで接続する。
【０００３】
特許文献１には、フリクションロック方式のコネクター接続構造において、一方のコネクター側にロック用係合ばねをロック用係合孔側に押し付け可能にした加圧手段を設けることで、ロック力を増加させて脱落を防止することのできるコネクター接続構造が提案されている。
【先行技術文献】
【特許文献】
【０００４】
【特許文献１】特開２００９−２１０６９号公報
【発明の概要】
【発明が解決しようとする課題】
【０００５】
電子機器に設置されるコネクターに、ユーザーがケーブル側のコネクターを差し込む際、コネクターの外形形状が、逆向き（上下反転または左右反転）にしてもどちらも同様の形状をしている場合には、ユーザーは、ケーブル側のコネクターが逆向きになっていても気付かず、電子機器側のコネクターに差し込もうとすることが発生する。この場合、ユーザーは、コネクターの向きは正しいものと思い込んでいるため、逆向きであることに気付くまでに時間がかかってしまう。そして、ユーザーは、差し込もうとしても差し込めないことにより、逆向きであることに気付き、コネクターの向きを逆にして、再度差し込むことで、やっと正しく差し込むことができる。このように、コネクターの向きが正しいか否かが判りづらいという課題がある。また、これにより、コネクターを正しく接続するまでに、かなりの時間がかかってしまうという課題がある。このことは、電子機器に設置されるコネクターの向きやケーブル側のコネクターの向きが、目視で確認しづらい場合には、更に顕著となる。
従って、逆向きの差し込み（逆差し）を防止して正しい接続を行わせることを補助することが可能で、コネクター接続時間を短縮させるコネクター接続構造、及びこのコネクター接続構造を備える電子機器、プロジェクターが要望されていた。
【課題を解決するための手段】
【０００６】
本発明は、上述した課題の少なくとも一部を解決するためになされたものであり、以下の適用例として実現することが可能である。
【０００７】
［適用例１］本適用例に係るコネクター接続構造は、互いに挿脱可能なコネクターと、一方のコネクターに設置され、当該コネクターと他方のコネクターとの当接による圧力を検出する圧力センサーと、情報を報知する報知部と、圧力センサーの検出結果に基づき、所定の圧力以上の場合、所定の圧力を超えたことを報知部に報知させる報知制御部と、を備えていることを特徴とする。
【０００８】
このようなコネクター接続構造によれば、一方のコネクターに他方のコネクターが逆向きに差し込まれたことを、一方のコネクターに設置された圧力センサーにより検出することができ、また、報知制御部により、逆向きに差し込まれたことを報知部で報知することができる。これにより、ユーザーは、コネクターの向きが逆向きであることをすぐに判断でき、コネクターの向きを逆にして再度差し込むことで、正しく差し込む（接続する）ことができる。このように、ユーザーにコネクターの向きが逆向きであることを報知することで、逆差しを防止して正しい接続を行わせることを補助することが可能となる。これにより、コネクター接続時間を短縮させることが可能となり、コネクター接続を効率的に行わせることができる。
【０００９】
［適用例２］上記適用例に係るコネクター接続構造において、圧力センサーは、シート状のゲージセンサーを備え、ゲージセンサーは、一方のコネクターの端子部の先端面に設置されていることが好ましい。
【００１０】
このようなコネクター接続構造によれば、コネクターが逆差しされようとした場合、一方のコネクターの端子部の先端面に設置されるシート状のゲージセンサーにより、逆差しを当接による圧力として検出でき、逆向きであることをユーザーに、直ちに知らせることができる。
【００１１】
［適用例３］上記適用例に係るコネクター接続構造において、コネクターは、ＵＳＢコネクターのタイプＡであることが好ましい。
【００１２】
ＵＳＢ（Universal Serial Bus）コネクターのタイプＡは、コネクターの外形形状が逆向きにしてもどちらも同様の形状をしているため、逆差しされる可能性が高くなる。従って、ＵＳＢコネクターのタイプＡに本コネクター接続構造を適用することが効果的となる。
【００１３】
［適用例４］本記適用例に係る電子機器は、外部機器と接続されるコネクターと、コネクターに設置され、当該コネクターへの当接による圧力を検出する圧力センサーと、情報を報知する報知部と、圧力センサーの検出結果に基づき、所定の圧力以上の場合、所定の圧力を超えたことを報知部に報知させる報知制御部と、を備えていることを特徴とする。
【００１４】
このような電子機器によれば、コネクターへ逆差しされたことを圧力センサーにより検出することができ、また、報知制御部により、逆向きに差し込まれたことを報知部で報知することができる。これにより、ユーザーは、コネクターの向きが逆向きであることが判断でき、コネクターの向きを逆にして再度差し込むことで、正しく差し込む（接続する）ことができる。従って、ユーザーにコネクターの向きが逆向きであることを報知することで、逆差しを防止して正しい接続を行わせることを補助することが可能となる電子機器を実現できる。これにより、コネクター接続時間を短縮させることが可能となり、コネクター接続を効率的に行わせることができる。また、コネクター同士が確実に接続でき、接続された外部機器からの情報を確実に電子機器内部に入力させることができる。
【００１５】
［適用例５］上記適用例に係る電子機器において、コネクターは、ＵＳＢコネクターのタイプＡであることが好ましい。
【００１６】
ＵＳＢコネクターのタイプＡは、コネクターの外形形状が逆向きにしてもどちらも同様の形状をしているため、逆差しされる可能性が高く、このコネクターに本コネクター接続構造を適用することが効果的となる。従って、コネクター接続を効率的に行わせる電子機器を実現できる。
【００１７】
［適用例６］本記適用例に係るプロジェクターは、外部機器と接続されるコネクターと、コネクターに設置され、当該コネクターへの当接による圧力を検出する圧力センサーと、情報を報知する報知部と、圧力センサーの検出結果に基づき、所定の圧力以上の場合、所定の圧力を超えたことを報知部に報知させる報知制御部と、光束を射出する光源と、光源から射出された光束を画像信号に基づいて変調する光変調装置と、を備えていることを特徴とする。
【００１８】
このようなプロジェクターによれば、コネクターへ逆差しされたことを圧力センサーにより検出することができ、また、報知制御部により、逆向きに差し込まれたことを報知部で報知することができる。これにより、ユーザーは、コネクターの向きが逆向きであることが判断でき、コネクターの向きを逆にして再度差し込むことで、正しく差し込む（接続する）ことができる。従って、ユーザーにコネクターの向きが逆向きであることを報知することで、逆差しを防止して正しい接続を行わせることを補助することが可能となるプロジェクターを実現できる。これにより、コネクター接続時間を短縮させることが可能となり、コネクター接続を効率的に行わせることができる。また、コネクター同士が確実に接続できることにより、接続された外部機器からの情報を確実にプロジェクター内部に入力させることができる。
【００１９】
［適用例７］上記適用例に係るプロジェクターにおいて、コネクターは、ＵＳＢコネクターのタイプＡであることが好ましい。
【００２０】
ＵＳＢコネクターのタイプＡは、コネクターの外形形状が逆向きにしてもどちらも同様の形状をしているため、逆差しされる可能性が高く、このコネクターに本コネクター接続構造を適用することが効果的となる。従って、コネクター接続を効率的に行わせるプロジェクターを実現できる。
【図面の簡単な説明】
【００２１】
【図１】実施形態に係るプロジェクターのＵＳＢコネクターを示す概斜視図。
【図２】プロジェクターの回路構成を示すブロック図。
【図３】ＵＳＢコネクターの接続関係を示す概断面図であり、（ａ）は接続前の状態を示す図、（ｂ）は正常に差した状態を示す図、（ｃ）は逆差しする状態を示す図。
【発明を実施するための形態】
【００２２】
以下、実施形態を図面に基づいて説明する。
（実施形態）
【００２３】
図１は、実施形態に係るプロジェクター１のＵＳＢコネクター２４を示す概斜視図である。なお、図１は、プロジェクター１に設置されるコネクターとしてのＵＳＢコネクター２４と、ＵＳＢコネクター２４に接続するＵＳＢケーブル３０を示している。図１を参照して、プロジェクター１のコネクターの構成を説明する。
【００２４】
電子機器としてのプロジェクター１は、略６面体の箱型形状に形成される筐体２によって装置本体が覆われて構成されている。筐体２の側面には、後述する画像音声入力部２３を構成する接続端子が複数設置されている。なお、接続端子として、例えば、Ｄ-Ｓｕｂ端子、ＨＤＭＩ（high definition multimedia interface）端子、本実施形態のＵＳＢ端子（ＵＳＢコネクター２４）等が設置されている。図１では、ＵＳＢ（Universal Serial Bus）コネクター２４のみを図示している。
【００２５】
ＵＳＢコネクター２４は、タイプＡを用いて水平に設置されている。なお、このＵＳＢコネクター２４に接続するＵＳＢケーブル３０には、差し込み側のコネクターとなるＵＳＢコネクター（タイプＡ）３１が設置され、ＵＳＢコネクター２４に対して挿脱可能となっている。なお、ＵＳＢコネクター２４の端子部２４２（基板２４３）の先端面２４３ａには、後述する圧力センサー２５が貼着されている。
【００２６】
図２は、プロジェクター１の回路構成を示すブロック図である。図２を参照して、プロジェクター１の回路構成について説明する。
【００２７】
図２に示すように、プロジェクター１は、画像投写部１０、制御部２０、記憶部２１、操作パネル２２、画像音声入力部２３、画像処理部２６、音声処理部２７、音声出力部および報知部としてのスピーカー２８等で構成されている。また、画像音声入力部２３は、ＵＳＢコネクター２４等を備えて構成されている。なお、ＵＳＢコネクター２４には、圧力センサー２５が設置されている。
【００２８】
画像投写部１０は、光源１１、光変調装置としての３つの液晶ライトバルブ１２、投写光学系としての投写レンズ１３、ライトバルブ駆動部１４等を含んで構成されている。画像投写部１０は、いわゆる表示部に相当するものであり、光源１１から射出された光を、３つの液晶ライトバルブ１２で変調して画像光を形成し、この画像光を投写レンズ１３から投写することによってスクリーンＳＣ等に画像を表示する。
【００２９】
光源１１は、超高圧水銀ランプやメタルハライドランプ等からなる放電型の光源ランプ１１ａと、光源ランプ１１ａが放射した光を液晶ライトバルブ１２側に反射するリフレクター１１ｂとを含んで構成されている。光源１１から射出された光は、インテグレーター光学系（図示省略）によって輝度分布が略均一な光に変換され、色分離光学系（図示省略）によって光の３原色である赤色光（Ｒ光）、緑色光（Ｇ光）、青色光（Ｂ光）の各色光成分に分離される。３原色の色光成分に分離された光は、Ｒ光用液晶ライトバルブ１２Ｒ、Ｇ光用液晶ライトバルブ１２Ｇ、Ｂ光用液晶ライトバルブ１２Ｂの３つの液晶ライトバルブ１２にそれぞれ入射する。
【００３０】
３つの液晶ライトバルブ１２は、それぞれ一対の透明基板間に液晶が封入された液晶パネル等によって構成される。液晶ライトバルブ１２には、マトリクス状に配列された複数の画素が形成されており、液晶に対して画素毎に駆動電圧を印加可能となっている。ライトバルブ駆動部１４が、入力される画像信号に応じた駆動電圧を各画素に印加すると、各画素は、画像信号に応じた光透過率に設定される。このため、光源１１から射出された光は、対応する液晶ライトバルブ１２を透過することによって変調され、画像信号に応じた画像光が色光毎に形成される。形成された各色の画像光は、色合成光学系（図示省略）によって画素毎に合成されてカラー画像を表す画像光となった後、投写レンズ１３によってスクリーンＳＣ等に拡大投写される。
【００３１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１と共にコンピューターとして機能する。なお、制御部２０は、本実施形態では、圧力センサー２５の検出結果に基づき、所定の圧力以上の場合、所定の圧力を超えたことを報知部（スピーカー２８）に報知させる報知制御部としての機能を有している。
【００３２】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。なお、記憶部２１は、本実施形態では、圧力センサー２５が検出した信号に基づき、所定の圧力以上か否かを判定する圧力判定用のプログラムが記憶されている。
【００３３】
操作パネル２２は、ユーザーからの入力操作を受け付ける複数の操作キーを備えている。ユーザーが操作パネル２２の各種操作キーを操作すると、操作パネル２２は、ユーザーの操作内容に応じた操作信号を制御部２０に出力する。
【００３４】
画像音声入力部２３には、パーソナルコンピューターやＤＶＤ（Digital Versatile Disc）再生装置等、図示しない外部の画像音声出力装置とケーブルを介した接続を行うための複数の接続端子が備えられており、画像音声出力装置から各種形式の画像情報や音声情報が入力される。画像音声入力部２３は、入力された画像情報を画像処理部２６に出力し、入力された音声情報を音声処理部２７に出力する。
【００３５】
画像処理部２６は、画像音声入力部２３から入力される各種形式の画像情報を、液晶ライトバルブ１２（１２Ｒ，１２Ｇ，１２Ｂ）の各画素の階調を表す画像情報に変換する。変換された画像情報は、Ｒ光、Ｇ光、Ｂ光の色光別となっており、各液晶ライトバルブ１２（１２Ｒ，１２Ｇ，１２Ｂ）のすべての画素に対応する複数の画素値によって構成されている。画素値とは、対応する画素の光透過率を定めるものであり、この画素値によって、各画素から射出する光の強弱（階調）が規定される。
【００３６】
さらに、画像処理部２６は、制御部２０の指示に基づいて、変換した画像情報に対して、明るさ、コントラスト、シャープネス、色合い等を調整するための画質調整処理や、入力画像上に設定メニュー等を重畳させるためのＯＳＤ（On Screen Display）処理等を行い、処理後の画像情報をライトバルブ駆動部１４に出力する。
【００３７】
ライトバルブ駆動部１４が、画像処理部２６から入力される画像情報に従って液晶ライトバルブ１２（１２Ｒ，１２Ｇ，１２Ｂ）を駆動すると、液晶ライトバルブ１２（１２Ｒ，１２Ｇ，１２Ｂ）は、画像情報に応じた画像光を形成し、この画像光が投写レンズ１３からスクリーンＳＣに投写される。この結果、入力された画像情報に基づく入力画像がスクリーンＳＣに表示される。
【００３８】
音声処理部２７は、制御部２０の指示に基づいて、画像音声入力部２３から入力された音声情報に音質調整処理や音量調整処理等の処理を行う。そして、処理後の音声情報をスピーカー２８に供給し、音声情報に基づく音声がスピーカー２８から出力される。
【００３９】
ＵＳＢコネクター２４は、タイプＡを用いている。このＵＳＢコネクター２４の端子部２４２の先端面２４３ａには、圧力センサー２５が設置されている。圧力センサー２５は、本実施形態では、シート状のゲージセンサーを備え、当接による圧力を検出する。
【００４０】
図３は、ＵＳＢコネクター２４，３１の接続関係を示す概断面図であり、図３（ａ）は接続前の状態を示す図、図３（ｂ）は正常に差した状態を示す図、図３（ｃ）は逆差しする状態を示す図である。なお、図３（ａ）は、図１に示すＵＳＢコネクター２４，３１と同様の向きであり、差し込みに対して正常な向きとなっている。図３を参照して、ＵＳＢコネクター２４と、ＵＳＢケーブル３０（ＵＳＢコネクター３１）との接続、および制御部２０の動作に関して説明する。
【００４１】
図３（ａ）に示すように、ＵＳＢコネクター２４は、いわゆるメス型のコネクターであり、以降、受口側コネクター２４と呼称し適宜使用する。また、ＵＳＢケーブル３０に設置されるＵＳＢコネクター３１は、いわゆるオス型のコネクターであり、以降、差込側コネクター３１と呼称し適宜使用する。
【００４２】
受口側コネクター２４は、タイプＡの構成となっている。詳細には、受口側コネクター２４は、平面視で矩形状の筒状となる金属枠２４１に囲まれ、その中に、端子部２４２が構成されている。端子部２４２は、金属枠２４１に囲まれた上方向に絶縁性の基板２４３が設置され、基板２４３の裏面（下面）に端子２４４が複数本設置された構成となっている。また、基板２４３の先端面２４３ａには、圧力センサー２５が貼着されている。
【００４３】
一方、差込側コネクター３１は、受口側コネクター２４と同様にタイプＡの構成となっている。詳細には、差込側コネクター３１は、平面視で矩形状の筒状となる金属枠３１１に囲まれ、その中に、端子部３１２が構成されている。端子部３１２は、金属枠３１１に囲まれた下方向に絶縁性の基板３１３が設置され、基板３１３の表面（上面）に端子３１４が複数本設置された構成となっている。なお、基板３１３の先端面３１３ａには、圧力センサー２５は設置されていない。なお、差込側コネクター３１を覆うモールド部３２（図１参照）の上方向の面３２１（図１参照）には、ＵＳＢマーク（図示省略）が形成されている。
【００４４】
差込側コネクター３１が、受口側コネクター２４に対して、図３（ａ）に示すような向きの場合は、接続の向きとして正常な向きとなる。この向きで、差込側コネクター３１を、受口側コネクター２４に差し込んだ場合、図３（ｂ）に示す状態となり、正常な接続が行える。
【００４５】
詳細には、図３（ｂ）に示すように、差込側コネクター３１の金属枠３１１を、受口側コネクター２４の金属枠２４１の内側に差し込み、その状態で押し込むことで接続することができる。正常に接続された場合には、受口側コネクター２４の端子２４４と、差込側コネクター３１の端子３１４とが電気的に接続する。また、受口側コネクター２４（金属枠２４１）の係止部（図示省略）により、差込側コネクター３１（金属枠３１１）が固定される。
【００４６】
しかし、図３（ｃ）に示すように、差込側コネクター３１が逆向き（上下反転）となった状態で、受口側コネクター２４に差し込もうとした場合、受口側コネクター２４の金属枠２４１と差込側コネクター３１の金属枠３１１とは、逆向きであっても、正面から見た場合には矩形であるため、逆向きとなった金属枠３１１は、金属枠２４１の内側に沿って、ある程度、差し込むことができる。
【００４７】
しかし、受口側コネクター２４の基板２４３の先端面２４３ａに、差込側コネクター３１の基板３１３の先端面３１３ａが当接するため、それ以上、先に差し込むことができなくなる。このような差し込み動作により、基板２４３の先端面２４３ａに貼着されている圧力センサー２５を、基板３１３の先端面３１３ａが当接して押圧する状態となる。
【００４８】
なお、制御部２０は、記憶部２１に記憶される圧力判定用のプログラムを読み込み、起動しており、圧力センサー２５が検出した信号に基づき、所定の圧力以上か否かを判定している。そして、当接してもなお、差し込み動作を継続し、所定の圧力以上となった場合、制御部２０は、記憶部２１に記憶する報知用の音声情報を音声処理部２７に出力する。
【００４９】
音声処理部２７は、制御部２０の指示に基づいて、入力した音声情報を処理し、処理後の音声情報をスピーカー２８に供給し、音声情報に基づく音声がスピーカー２８から出力される。なお、スピーカー２８から出力される音声情報は、本実施形態では、ブザー音であるが、メロディー音や、音声合成音であってもよい。
【００５０】
このように、本実施形態では、制御部２０は、圧力センサー２５の検出結果に基づき、所定の圧力以上の場合、所定の圧力を超えたことをスピーカー２８に報知させる報知制御部としての動作を行う。そして、スピーカー２８から出力されるブザー音により、逆差しであることをユーザーに報知する。
【００５１】
スピーカー２８から出力されるブザー音により、ユーザーは、差込側コネクター３１の向きが逆向きであることに気付く。そして、ユーザーは、これ以上の差し込みをやめ、差込側コネクター３１の向きを上下反転することで正常な向きに修正し、再度、差し込むことで、正しく差し込む（接続する）ことができる。
【００５２】
上述した実施形態によれば、以下の効果が得られる。
本実施形態のコネクター接続構造およびプロジェクター１によれば、受口側コネクター２４へ逆差しされたことを圧力センサー２５により検出することができ、また、制御部２０（報知制御部）により、逆向きに差し込まれたことをスピーカー２８（報知部）で報知することができる。これにより、ユーザーは、差込側コネクター３１の向きが逆であることが判断でき、差込側コネクター３１の向きを逆向きにして再度差し込むことで、正しく差し込む（接続する）ことができる。従って、ユーザーに差込側コネクター３１の向きが逆向きであることを報知することで、逆差しを防止して正しい接続を行わせることを補助することが可能となる。これにより、コネクター接続時間を短縮させることが可能となり、コネクター接続を効率的に行わせることができる。また、コネクター同士が確実に接続できることにより、接続された外部機器からの情報を確実にプロジェクター１内部に入力させることができる。
【００５３】
本実施形態のコネクター接続構造およびプロジェクター１によれば、圧力センサー２５は、シート状のゲージセンサーを備え、ゲージセンサーは、受口側コネクター２４の端子部２４２の先端面２４３ａに設置されている。これにより、差込側コネクター３１が逆差しされようとした場合、受口側コネクター２４の先端面２４３ａに設置される圧力センサー２５により、逆差しを当接による圧力として検出でき、逆向きであることをユーザーに、直ちに知らせることができる。
【００５４】
本実施形態のコネクター接続構造は、ＵＳＢコネクター（タイプＡ）に適用している。ＵＳＢコネクターのタイプＡ（本実施形態のＵＳＢコネクター２４，３１）は、コネクターの外形形状が逆向きにしてもどちらも同様の形状（矩形状）をしているため、逆差しされる可能性が高い。なお、オス型のコネクター（差込側コネクター３１）には、ＵＳＢマークが形成されており、このＵＳＢマークにより、差込側コネクター３１の向きを判断することが可能ではある。しかし、ユーザーは、意識せず逆差ししてしまう可能性がある。また、プロジェクター１に設置される受口側コネクター２４の向きやＵＳＢケーブル３０の差込側コネクター３１の向きが、目視で確認しづらい場合には、更に逆差ししてしまう可能性が高くなる。従って、このようなＵＳＢコネクター（タイプＡ）に本実施形態のコネクター接続構造を適用して逆差し防止の補助をすることは大変効果的である。
【００５５】
なお、上述した実施形態に限定されず、その要旨を逸脱しない範囲において種々の変更や改良等を加えて実施することが可能である。変形例を以下に述べる。
【００５６】
前記実施形態のコネクター接続構造は、受口側コネクター２４が水平にプロジェクター１に設置された場合を示しており、差込側コネクター３１の上下反転での逆差しを防止している。しかし、受口側コネクター２４が垂直に設置された場合にも適用でき、差込側コネクター３１の左右反転での逆差しを防止することができる。
【００５７】
前記実施形態のコネクター接続構造は、プロジェクター１の受口側コネクター２４に圧力センサー２５を設置している。しかし、圧力センサー２５は、受口側コネクター２４に接続するＵＳＢケーブル３０（差込側コネクター３１）に設置されていてもよい。この場合、ＵＳＢケーブル３０に接続する電子機器に本実施形態のコネクター接続構造が構築されていればよい。
【００５８】
前記実施形態のコネクター接続構造は、プロジェクター１の受口側コネクター２４に、ＵＳＢケーブル３０（差込側コネクター３１）が接続されている。しかし、この接続に限られず、差込側コネクター３１が、ケーブルを介さず、直接に電子機器（例えば、補助記憶装置等）の本体に接続される構造の、電子機器が接続されてもよい。この場合、電子機器の差込側コネクター３１に圧力センサー２５を設置すると共に、電子機器の本体内にコネクター接続構造を構築することでもよい。これにより、プロジェクター１側にコネクター接続構造を構築しなくても、電子機器が逆差しされた場合には、電子機器側で逆差しであることを報知することができる。
【００５９】
前記実施形態のコネクター接続構造は、ＵＳＢコネクター（タイプＡ）に適用している。しかし、逆差しが行われる可能性のある他のコネクターに適用してもよい。
【００６０】
前記実施形態では、コネクター接続構造をプロジェクター１に適用しているが、プロジェクター１以外の電子機器に適用してもよい。
【００６１】
前記実施形態のプロジェクター１は、報知部としてスピーカー２８を備えており、所定の圧力以上になったことをスピーカー２８で報知している。しかし、報知部はスピーカー２８に限られず、ＬＥＤ（Light Emitting Diode）等の固体発光素子や液晶パネル等を用いることもできる。そして、所定の圧力以上になったことをＬＥＤの発光により報知してもよいし、液晶パネルに文字情報や画像情報を表示することで報知してもよい。
【００６２】
前記実施形態において、光変調装置は、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。微小ミラーアレイデバイスとして、例えば、ＤＭＤ（Digital Micromirror Device）を用いることができる。
【００６３】
前記実施形態において、光源１１は、放電型の光源ランプ１１ａを用いている。なお、光源１１は、放電型ランプの他、レーザーダイオード、ＬＥＤ（Light Emitting Diode）、有機ＥＬ（Electro Luminescence）素子、シリコン発光素子等の各種固体発光素子等を用いて構成することができる。
【符号の説明】
【００６４】
１…プロジェクター、１１…光源、１２…液晶ライトバルブ（光変調装置）、２０…制御部（報知制御部）、２４…ＵＳＢコネクター（受口側コネクター）、２５…圧力センサー、２８…スピーカー（報知部）、３１…ＵＳＢコネクター（差込側コネクター）、２４２…端子部、２４３ａ…先端面。
【図１】
2014032749.tif 000003
【図２】
2014032749.tif 000004
【図３】
2014032749.tif 000005